(57)【要約】      （修正有）【課題】形状維持性能と捕集性能とを両立できる三面型立体マスクを提供する。【解決手段】長尺なシート状の主面部２と、主面部の上縁部に沿って設けられるシート状の第１副面部と、主面部の下縁部に沿って設けられるシート状の第２副面部とを備える三面型立体マスク１であって、主面部、第１副面部及び第２副面部は、いずれも複数の層を積み重ねた積層構造を有し、第２副面部は、主面部及び第１副面部よりも少ない層で構成されるため、主面部及び第１副面部によって、三面型立体マスクの立体形状を維持する形状維持性能が高められる。また、第２副面部が使用者の下顎の形状に沿って容易に変形され、第２副面部と使用者との間に隙間が形成されることを抑制でき、飛沫の捕集性能の低下を抑制することができる。【選択図】図１
0003234504.tif 000002
【実用新案登録請求の範囲】
【請求項１】
左右方向に長尺なシート状の主面部と、
前記主面部の上縁部に沿って設けられるシート状の第１副面部と、
前記主面部の下縁部に沿って設けられるシート状の第２副面部と、を備える三面型立体マスクであって、
前記主面部、前記第１副面部及び前記第２副面部は、いずれも複数の層を積み重ねた積層構造を有し、
前記第２副面部は、前記主面部及び前記第１副面部よりも少ない層で構成される、
ことを特徴とする三面型立体マスク。
【請求項２】
前記第１副面部は、前記主面部よりも少ない層で構成される、
ことを特徴とする請求項１に記載の三面型立体マスク。
【請求項３】
前記主面部、前記第１副面部及び前記第２副面部は、硬質層よりも密度が小さい柔軟層を有し、
前記主面部及び前記第１副面部は、前記硬質層を更に有する、
ことを特徴とする請求項１又は請求項２のいずれか１項に記載の三面型立体マスク。
【請求項４】
前記柔軟層は、装着時の使用者に最も近い内側面に位置し、
前記硬質層は、装着時の使用者から最も遠い外側面に位置する、
ことを特徴とする請求項３に記載の三面型立体マスク。
【請求項５】
前記第１副面部及び前記第２副面部が前記主面部に折り重なるシート状の状態と、前記第１副面部及び前記第２副面部が前記主面部から開かれた箱状の状態とに遷移可能である、
ことを特徴とする請求項１乃至請求項４のいずれか１項に記載の三面型立体マスク。
【請求項６】
前記主面部、前記第１副面部及び前記第２副面部は、１枚のシート状かつ部分的に異なる積層構造の素材から形成される、
ことを特徴とする請求項１乃至請求項５のいずれか１項に記載の三面型立体マスク。
【請求項７】
前記主面部の左右両端部にリング状に設けられる一対の係止部を更に備える、
ことを特徴とする請求項１乃至請求項６のいずれか１項に記載の三面型立体マスク。
【考案の詳細な説明】
【技術分野】
【０００１】
本考案は、折り畳み式の立体マスクに関し、特に主面部と折り畳み可能な一対の副面部とを備える三面型立体マスクに関するものである。
【背景技術】
【０００２】
従来の三面型立体マスクは、左右方向に長尺なシート状の主面部と、主面部の上縁部に沿って設けられたシート状の上面部と、主面部の下縁部に沿って設けられたシート状の下面部と、主面部の左右両端部にリング状に設けられた左右一対の係止部と、を備えている。このような三面型立体マスクは、上面部及び下面部が主面部に対して折り畳まれたシート状において携帯され、上面部及び下面部が主面部に対して開かれ、使用者側である内面が解放された箱状において、使用者の鼻口に装着される。
【０００３】
上記三面型立体マスクでは、主面部、上面部及び下面部は、複数の層を有する積層構造の素材から形成されており、例えば、積層構造の素材の層の数を変更することで、三面型立体マスクの柔軟性を変更することができる。三面型立体マスクは、型崩れを防止するとの観点から、例えば、上下方向に延びる折り目を有する左右二面型の立体マスクに比して、柔軟性が低く設定されており、使用時の箱状の形状を維持する形状維持性能が高められている。なお、柔軟性が高く設定されて形状維持性能が低い三面型立体マスクでは、例えば、主面部の中央部が使用者の鼻口と接触し、主面部の中央部に唾液や口紅等が付着し易く、該唾液や口紅等を原因として主面部にて菌等が繁殖するおそれがあり、ひいては衛生性能が低下するおそれがある。
【先行技術文献】
【特許文献】
【０００４】
【特許文献１】実用新案登録第３１９２５８９号公報
【考案の概要】
【考案が解決しようとする課題】
【０００５】
しかしながら、従来の三面型立体マスクでは、主面部、上面部及び下面部の層の数が同一であり、主面部、上面部及び下面部の柔軟性が均一であるため、三面型立体マスクの柔軟性が低い場合には、下面部が使用者の下顎の形状に沿って変形できず、下面部と下顎との間に隙間が形成され、飛沫の捕集性能が低下するおそれがある。よって、従来の三面型立体マスクでは、主面部、上面部及び下面部の柔軟性に関し、形状維持性能と捕集性能とが相反する傾向にある。
【０００６】
本考案は、このような事情に鑑みてなされたものであり、その目的とするところは、形状維持性能と捕集性能とを両立させることができる三面型立体マスクを提供することにある。
【課題を解決するための手段】
【０００７】
上述の目的を達成するための有効な解決手段を以下に示す。なお、必要に応じてその作用等の説明を行う。また、理解の容易のため、考案の実施の形態において対応する構成等についても適宜示すが、何ら限定されるものではない。
【０００８】
上記した目的を達成するために、請求項１に係る考案によれば、
左右方向に長尺なシート状の主面部と、
前記主面部の上縁部に沿って設けられるシート状の第１副面部と、
前記主面部の下縁部に沿って設けられるシート状の第２副面部と、を備える三面型立体マスクであって、
前記主面部、前記第１副面部及び前記第２副面部は、いずれも複数の層を積み重ねた積層構造を有し、
前記第２副面部は、前記主面部及び前記第１副面部よりも少ない層で構成される、
ことを特徴とする。
【０００９】
上記請求項１に係る考案の三面型立体マスクによれば、主面部、第１副面部及び第２副面部が、いずれも複数の層を積み重ねた積層構造を有し、第２副面部が、主面部及び第１副面部よりも少ない層で構成されるため、主面部及び第１副面部によって、主面部の中央部が使用者に接触しないように三面型立体マスクの立体形状を維持する形状維持性能が高められ、ひいては衛生性能の低下を抑制することができる。また、第２副面部が使用者の下顎の形状に沿って容易に変形され、第２副面部と下顎との間に隙間が形成されることを抑制でき、飛沫の捕集性能の低下を抑制することができる。よって、本考案の三面型立体マスクによれば、形状維持性能と捕集性能とを両立させることができる。
【００１０】
また、上記した目的を達成するために、請求項２に係る考案によれば、
前記第１副面部は、前記主面部よりも少ない層で構成される、
ことを特徴とする。
【００１１】
上記請求項２に係る考案の三面型立体マスクによれば、第１副面部が、主面部よりも少ない層で構成されるため、主面部によって、主面部の中央部が使用者に接触しないように三面型立体マスクの立体形状を維持する形状維持性能がより一層高められ、ひいては衛生性能の低下を抑制することができる。また、第１副面部が使用者の上顎の形状に沿って容易に変形され、第１副面部と使用者との間に隙間が形成されることを抑制でき、飛沫の捕集性能の低下をより一層抑制することができる。よって、本考案の三面型立体マスクによれば、形状維持性能と捕集性能とを両立させることができる。
【００１２】
また、上記した目的を達成するために、請求項３に係る考案によれば、
前記主面部、前記第１副面部及び前記第２副面部は、硬質層よりも密度が小さい柔軟層を有し、
前記主面部及び前記第１副面部は、前記硬質層を更に有する、
ことを特徴とする。
【００１３】
上記請求項３に係る考案の三面型立体マスクによれば、主面部、第１副面部及び第２副面部が、硬質層よりも密度が小さい柔軟層を有し、主面部及び第１副面部が、硬質層を更に有するため、硬質層を有する柔軟性が低い主面部及び第１副面部によって、主面部の中央部が使用者に接触しないように三面型立体マスクの立体形状を維持する形状維持性能が高められ、ひいては衛生性能の低下を抑制することができる。また、硬質層を有しない柔軟性が高い第２副面部が使用者の下顎の形状に沿って容易に変形され、第２副面部と下顎との間に隙間が形成されることを抑制でき、飛沫の捕集性能の低下を抑制することができる。よって、本考案の三面型立体マスクによれば、形状維持性能と捕集性能とを両立させることができる。
【００１４】
また、上記した目的を達成するために、請求項４に係る考案によれば、
前記柔軟層は、装着時の使用者に最も近い内側面に位置し、
前記硬質層は、装着時の使用者から最も遠い外側面に位置する、
ことを特徴とする。
【００１５】
上記請求項４に係る考案の三面型立体マスクによれば、柔軟層が、装着時の使用者に最も近い内側面に位置し、硬質層が、装着時の使用者から最も遠い外側面に位置するため、柔らかくしなやかな柔軟層が装着時の使用者と接触し、三面型立体マスクの装着感を良好にすることができる。
【００１６】
また、上記した目的を達成するために、請求項５に係る考案によれば、
前記第１副面部及び前記第２副面部が前記主面部に折り重なるシート状の状態と、前記第１副面部及び前記第２副面部が前記主面部から開かれた箱状の状態とに遷移可能である、
ことを特徴とする。
【００１７】
上記請求項５に係る考案の三面型立体マスクによれば、第１副面部及び第２副面部が主面部に折り重なるシート状の状態と、第１副面部及び第２副面部が主面部から開かれた箱状の状態とに遷移可能であるため、箱状の状態において、使用者との間に大きな空間を設けるように装着され、三面型立体マスクと使用者との接触を低減することができ、また、シート状の状態において、使用者と接触する使用者側を保護するように収納することができる。
【００１８】
また、上記した目的を達成するために、請求項６に係る考案によれば、
前記主面部、前記第１副面部及び前記第２副面部は、１枚のシート状かつ部分的に異なる積層構造の素材から形成される、
ことを特徴とする。
【００１９】
上記請求項６に係る考案の三面型立体マスクによれば、主面部、第１副面部及び第２副面部は、１枚のシート状かつ部分的に異なる積層構造の素材から形成されるため、各々層構造が異なる３枚のシート状の素材から主面部、第１副面部及び第２副面部が形成される三面型立体マスクに比して、三面型立体マスクを容易に形成することができる。
【００２０】
また、上記した目的を達成するために、請求項７に係る考案によれば、
前記主面部の左右両端部にリング状に設けられる一対の係止部を更に備える、
ことを特徴とする。
【００２１】
上記請求項７に係る考案の三面型立体マスクによれば、主面部の左右両端部にリング状に設けられる一対の係止部を更に備えるため、使用者の鼻口に主面部、第１副面部及び第２副面部が嵌められた後に、係止部が耳に掛けられることによって、主面部、第１副面部及び第２副面部が使用者の鼻口からずれないように三面型立体マスクが装着される。
【考案の効果】
【００２２】
このように、本考案の三面型立体マスクにおいては、形状維持性能と捕集性能とを両立させることができる。
【図面の簡単な説明】
【００２３】
【図１】一実施形態である三面型立体マスクを示す概略正面図である。
【図２】三面型立体マスクを右方から視た概略側面図である。
【図３】三面型立体マスクを上方から視た概略平面図である。
【図４】三面型立体マスクを後方から視た概略背面図である。
【図５】三面型立体マスクを構成する主要な部品を示す部品図である。
【図６】三面型立体マスクの状態を示す概略斜視図である。
【図７】主面部、上面部及び下面部の断面を示す概略断面図である。
【考案を実施するための形態】
【００２４】
一実施形態である三面型立体マスク１について、図面を参照して詳細に説明する。まず、図１乃至図５を参照して本実施形態の三面型立体マスク１の全体構成について説明する。図１は、一実施形態である三面型立体マスク１を示す概略正面図である。図２は、三面型立体マスク１を右方から視た概略側面図である。図３は、三面型立体マスク１を上方から視た概略平面図である。図４は、三面型立体マスクを後方から視た概略背面図である。図５は、三面型立体マスクを構成する主要な部品を示す部品図である。
【００２５】
図１乃至図５に示すように、本実施形態の三面型立体マスク１は、左右方向に長尺なシート状の主面部２と、主面部２の上縁部に沿って設けられるシート状の上面部３と、主面部２の下縁部に沿って設けられるシート状の下面部４と、主面部２の左右両端部にリング状に設けられる左右一対の係止部５と、を備えている。本実施形態の三面型立体マスク１は、主面部２の上縁部に上面部３の下縁部が重ねられて溶着され、主面部２の下縁部に下面部４の上縁部が重ねられて溶着され、主面部２の左右端部に係止部５が溶着されて形成されている。
【００２６】
主面部２は、左右方向の幅が上下方向の幅よりも大きく、かつ左右の中央部における上下方向の幅が左右の端部における上下方向の幅よりも大きい略六角形状のシート状に形成されている。また、主面部２は、前後方向に積層された複数の層を有する積層構造（詳細は、後述する。）である。主面部２は、例えば、積層された各層のずれ等を抑制して略六角形状を維持するため、上下縁部及び左右縁部を含む外縁部に熱処理が施されており、複数の層が互いに溶着されている。
【００２７】
上面部３は、主面部２と同様に、左右方向の幅が上下方向の幅よりも大きく、かつ左右の中央部における上下方向の幅が左右の端部における上下方向の幅よりも大きい略六角形状のシート状に形成されている。なお、上面部３の上下方向の幅は、三面型立体マスク１の左右方向の任意の位置において、主面部２の上下方向の幅よりも小さい。また、上面部３の下縁部は、重ね合わされた主面部２の上縁部とともに熱処理が施され、主面部２の上縁部と上面部３の下縁部とが溶着されており、主面部２の上縁部に沿って設けられている。上面部３は、前後方向に積層された複数の層を有する積層構造（詳細は、後述する。）である。上面部３は、例えば、積層された各層のずれ等を抑制して略六角形状を維持するため、上縁部及び左右縁部を含む外縁部に熱処理が施されており、複数の層が互いに溶着されている。
【００２８】
また、上面部３は、上下方向の中央部を左右方向に延びるように設けられた長尺なシート状の形状維持部材３１を有している。形状維持部材３１は、三面型立体マスク１が使用者に装着される際に、使用者の鼻の形状に応じて折り曲げられて使用者の鼻に係合することによって、上面部３を使用者の鼻や上顎に密着させることができ、三面型立体マスク１と使用者との間の隙間を低減させ、三面型立体マスク１の飛沫の捕集性能を向上させることができる。形状維持部材３１は、例えば、紙製、樹脂製、又は金属製であればよいが、例えば、三面型立体マスク１の廃棄容易性及び耐久性の観点から、樹脂製であることが望ましい。
【００２９】
下面部４は、主面部２と同様に、左右方向の幅が上下方向の幅よりも大きく、かつ左右の中央部における上下方向の幅が左右の端部における上下方向の幅よりも大きい略六角形状のシート状に形成されている。なお、下面部４の上下方向の幅は、三面型立体マスク１の左右方向の任意の位置において、主面部２の上下方向の幅よりも小さい。また、下面部４の上縁部は、重ね合わされた主面部２の下縁部とともに熱処理が施され、主面部２の上縁部と下面部４の上縁部とが溶着されており、主面部２の上縁部に沿って設けられている。下面部４は、前後方向に積層された複数の層を有する積層構造（詳細は、後述する。）である。下面部４は、例えば、積層された各層のずれ等を抑制して略六角形状を維持するため、上縁部及び左右縁部を含む外縁部に熱処理が施されており、複数の層が互いに溶着されている。
【００３０】
係止部５は、紐状に形成されており、主面部２の左右一方の端部において、一端が主面部２の上部に溶着され、他端が主面部２の下部に溶着されており、主面部２の左右いずれかの端部とともにリング状に形成されている。係止部５は、使用者が三面型立体マスク１を装着する際に、使用者の耳に掛けられて、主面部２、上面部３及び下面部４を使用者の鼻口の装着位置に保持し得る。なお、係止部５は、例えば、主面部２の端部において、上部及び下部からリング状に延設された帯状の態様であってもよく、使用者の耳との接触面積を増加でき、使用者の耳に作用する三面型立体マスク１の自重が分散され、紐状の態様に比して三面型立体マスク１の使用感を向上させることができる。
【００３１】
図６は、三面型立体マスク１の状態を示す概略斜視図である。図６に示すように、本実施形態の三面型立体マスク１は、上面部３及び下面部４が主面部２に向かって折り畳まれたシート状の携帯状態から、上面部３及び下面部４が主面部２から開かれて使用者の側である内側開放の箱状の使用状態へと変形された後に、使用者に装着される。詳しくは、三面型立体マスク１は、使用状態において、上面部３の左右方向の中央部が使用者の鼻に接触され、下面部４が使用者の下顎に接触された後、係止部５が使用者の耳に掛けられて、上面部３の形状維持部材３１が使用者の鼻に係合するように変形されることによって使用者の顔に装着される。このような三面型立体マスク１では、上面部３と下面部４とによって、主面部２と鼻口とが接触することを抑制でき、主面部２に唾液や口紅等の付着物が付着することを抑制でき、三面型立体マスク１の衛生性能が向上される。
【００３２】
図７は、主面部２、上面部３及び下面部４の断面を示す概略断面図である。詳しくは、図７は、三面型立体マスク１がシート状に折り畳まれた状態の主面部２、上面部３及び下面部４の断面を示す概略断面図である。図７に示すように、主面部２、上面部３及び下面部４は、積層構造を有している。主面部２、上面部３及び下面部４が有する各層は、いずれもポリプロピレン、ポリエステル、及びポリウレタン等の樹脂製の不織布であり、本実施形態の主面部２、上面部３及び下面部４が有する各層は、ポリプロピレン製の不織布である。
【００３３】
本実施形態の主面部２は、最も外側の硬質層２１と、硬質層２１の内側の第１柔軟層２２と、第１柔軟層２２の内側の第１軟質層２３と、第１軟質層２３の内側の第２軟質層２４と、第２軟質層２４の内側の第２柔軟層２５と、を有する５層の積層構造である。硬質層２１は、例えば、いわゆるスパンボンド法によって製造され、詳しくは、原料のポリプロピレンチップを加熱して溶解し、溶解されたポリプロピレンをノズルから繊維状に押し出してエジェクターで延伸することにより長繊維を形成し、長繊維を集積して形成された厚めのウエブを加熱ローラで圧縮型押しして製造される。硬質層２１は、第１柔軟層２２、第１軟質層２３、第２軟質層２４及び第２柔軟層２５よりも密度が高く柔軟性が低いため、主面部２の略六角形状を維持する形状維持性能に優れるとともに、空気を透過可能な透過性能にも優れる。
【００３４】
第１柔軟層２２及び第２柔軟層２５は、例えば、硬質層２１と同様に、いわゆるスパンボンド法によって製造され、詳しくは、原料のポリプロピレンチップを加熱して溶解し、溶解されたポリプロピレンをノズルから繊維状に押し出してエジェクターで延伸することにより長繊維を形成し、長繊維を集積して形成された薄めのウエブを加熱ローラで圧縮型押しして製造される。第１柔軟層２２及び第２柔軟層２５は、硬質層２１、第１軟質層２３、及び第２軟質層２４よりも密度が低く柔軟性が高いため、人肌に接触した際に人が感じる触感に優れるとともに、空気を透過可能な透過性能にも優れる。また、第１軟質層２３及び第２軟質層２４は、例えば、いわゆるメルトブローン法によって製造され、詳しくは、原料のポリプロピレンチップを加熱して溶解し、溶解されたポリプロピレンをノズルから熱風で押し出すとともに延伸して微細繊維を形成し、微細繊維を吹き付けてウエブを形成して製造される。第１軟質層２３及び第２軟質層２４は、微細繊維の集合体であり、ウイルス、細菌や花粉等の微粒子を捕集する捕集性能に優れるとともに、第１柔軟層２２及び第２柔軟層２５よりも厚く柔軟性が低いため、主面部２の略六角形状を維持する形状維持性能にも優れる。
【００３５】
本実施形態の上面部３は、最も外側の硬質層３２と、硬質層３２の内側の第１柔軟層３３と、第１柔軟層３３の内側の軟質層３４と、軟質層３４の内側の第２柔軟層３５と、を有する４層の積層構造である。硬質層３２は、主面部２の硬質層２１と同様に製造され、第１柔軟層３３、軟質層３４、及び第２柔軟層３５よりも密度が高く柔軟性が低いため、上面部３の略六角形状を維持する形状維持性能に優れるとともに、空気を透過可能な透過性能にも優れる。
【００３６】
第１柔軟層３３及び第２柔軟層３５は、主面部２の第１柔軟層２２及び第２柔軟層２５と同様に製造され、硬質層３２及び軟質層３４よりも密度が低く柔軟性が高いため、人肌に接触した際に人が感じる触感に優れるとともに、空気を透過可能な透過性能にも優れる。また、軟質層３４は、主面部２の第１軟質層２３及び第２軟質層２４と同様に製造され、ウイルス、細菌や花粉等の微粒子を捕集する捕集性能に優れるとともに、第１柔軟層３３及び第２柔軟層３５よりも厚く柔軟性が低いため、上面部３の略六角形状を維持する形状維持性能にも優れる。
【００３７】
本実施形態の下面部４は、最も外側の第１柔軟層４１と、第１柔軟層４１の内側の軟質層４２と、軟質層４２の内側の第２柔軟層４３と、を有する３層の積層構造である。第１柔軟層４１及び第２柔軟層４３は、主面部２の第１柔軟層２２及び第２柔軟層２５と同様に製造され、軟質層４２よりも密度が低く柔軟性が高いため、人肌に接触した際に人が感じる触感に優れるとともに、空気を透過可能な透過性能にも優れる。また、軟質層４２は、主面部２の第１軟質層２３及び第２軟質層２４と同様に製造され、ウイルス、細菌や花粉等の微粒子を捕集する捕集性能に優れるとともに、第１柔軟層４１及び第２柔軟層４３よりも厚く柔軟性が低いため、下面部４の略六角形状を維持する形状維持性能にも優れる。
【００３８】
硬質層を有しておらず３層の積層構造である下面部４の柔軟性は、硬質層２１を有する５層の積層構造である主面部２の柔軟性、及び硬質層３２を有する４層の積層構造である上面部３の柔軟性よりも高いため、主面部２及び上面部３によって、主面部２の中央部が使用者に接触しないように三面型立体マスク１の立体形状を維持する形状維持性能が高められ、ひいては衛生性能の低下を抑制することができる。また、硬質層を有しておらず３層の積層構造である下面部４の柔軟性が高いため、下面部４が使用者の下顎の形状に沿って容易に変形され、下面部４と下顎との間に隙間が形成されることを抑制でき、飛沫の捕集性能の低下を抑制することができる。よって、本実施形態の三面型立体マスク１によれば、形状維持性能と捕集性能とを両立させることができる。
【００３９】
また、４層の積層構造である上面部３の柔軟性は、５層の積層構造である主面部２の柔軟性よりも高いため、主面部２によって、主面部２の中央部が使用者に接触しないように三面型立体マスク１の立体形状を維持する形状維持性能が高められ、ひいては衛生性能の低下を抑制することができる。また、上面部３の柔軟性が高いため、上面部３が使用者の上顎の形状に沿って容易に変形され、上面部３と使用者との間に隙間が形成されることを抑制でき、飛沫の捕集性能の低下をより一層抑制することができる。よって、本実施形態の三面型立体マスク１によれば、形状維持性能と捕集性能とを両立させることができる。
【００４０】
また、本実施形態の主面部２、上面部３及び下面部４は、いずれも三面型立体マスク１の装着時に使用者側となる最も内側に柔軟層（主面部２の第２柔軟層２５、上面部３の第２柔軟層３５及び下面部４の第２柔軟層４３）を有しているため、使用者が三面型立体マスク１を装着した際に、柔らかくしなやかな柔軟層が使用者と接触し、三面型立体マスク１の装着感を良好にすることができる。
【００４１】
主面部２は、５層の積層構造であり、上面部３は、４層の積層構造であり、下面部４は、３層の積層構造であり、上面部３が有する層の数が、主面部２よりも少なく、下面部４よりも多いため、主面部２及び上面部３によって、主面部２の中央部が使用者に接触しないように三面型立体マスク１の立体形状を維持する形状維持性能が高められ、ひいては衛生性能の低下を抑制することができる。また、３層の積層構造である下面部４の柔軟性が高いため、下面部４が使用者の下顎の形状に沿って容易に変形され、下面部４と下顎との間に隙間が形成されることを抑制でき、飛沫の捕集性能の低下を抑制することができる。よって、本実施形態の三面型立体マスク１によれば、形状維持性能と捕集性能とを両立させることができる。
【００４２】
なお、本実施形態の三面型立体マスク１は、係止部５を除く主面部２、上面部３及び下面部４が、１枚のシート状かつ部分的に異なる積層構造の長尺な帯状素材から形成されている。具体的には、帯状素材は、長手方向と直交する幅方向中央部に位置して主面部２に対応する５層構造部分と、幅方向端部の一方に位置して上面部３に対応する４層構造部分と、幅方向端部の他方に位置して下面部４に対応する３層構造部分と、を有している。本実施形態の三面型立体マスク１は、帯状素材を切断又は溶着して形成される。
【００４３】
以上、本考案を実施するための形態について説明したが、上記した実施形態は本技術思想を逸脱しない限り、適宜変更が可能である。すなわち、上記実施形態の一部を変更したものであっても本技術思想を適用可能とされる。
【符号の説明】
【００４４】
１  三面型立体マスク
２  主面部
３  上面部
４  下面部
５  係止部
【図１】
0003234504.tif 000003
【図２】
0003234504.tif 000004
【図３】
0003234504.tif 000005
【図４】
0003234504.tif 000006
【図５】
0003234504.tif 000007
【図６】
0003234504.tif 000008
【図７】
0003234504.tif 000009